(57)【要約】【課題】光ディスクの基板表面と情報記録面の区別を確実に行い、安定したフォーカス動作を行うことができる光ディスク装置及びフォーカス制御方法を提供する。【解決手段】基板表面によるフォーカス和信号の検出する際に、ＲＦアンプの増幅率を通常の増幅率に比較して大きい増幅率である第１の増幅率に設定することにより、ＲＦアンプから出力される表面からの反射光によるフォーカス和信号の検出信号が大きな信号となり確実に検出でき、表面であると判定した後は、増幅率を通常の増幅率である第２の増幅率に設定することにより、情報記録面を検出し、情報記録面に対してレーザ光の焦点を引き込む動作を安定して行うことができる。【選択図】  図１
2008140442.tif 000002
【特許請求の範囲】
【請求項１】
光ディスクの情報記録面上にレーザ光を集光させるための対物レンズと前記光ディスクからの反射光を受光する分割された受光部を備えた光検出器とを有する光ピックアップと、
前記光検出器の出力信号からフォーカス誤差信号及びフォーカス和信号を生成する信号処理手段と、
前記信号処理手段によって生成されたフォーカス誤差信号及びフォーカス和信号から前記対物レンズのフォーカス方向の位置を制御するためのフォーカス制御信号を生成するフォーカス制御手段と、
前記光ディスクの情報記録面に前記レーザ光の焦点を引き込む工程において、前記信号処理手段によってフォーカス誤差信号及びフォーカス和信号が生成されるときの信号増幅率を設定し、前記対物レンズが前記光ディスクの前記対物レンズ側の表面に焦点を結ぶ位置より前記表面から離れた位置において第１の増幅率を設定し、前記対物レンズが漸次前記光ディスクの方向へ移動し、前記表面に焦点を合わせた位置において前記表面からの反射光によるフォーカス和信号を検出した後で第２の増幅率を設定する増幅率設定手段とを
有することを特徴とする光ディスク装置。
【請求項２】
前記対物レンズが前記表面に焦点を合わせた位置における前記表面からの反射光によるフォーカス和信号と予め設定された第１の閾値とを比較し、該フォーカス和信号が前記第１の閾値より大きいと判定されたとき、該フォーカス和信号が前記表面からの反射光によるフォーカス和信号であると判定する判定手段を有することを特徴とする請求項１記載の光ディスク装置。
【請求項３】
前記対物レンズが前記情報記録面に焦点を合わせた位置における前記情報記録面からの反射光によるフォーカス和信号と予め設定された第２の閾値とを比較し、該フォーカス和信号が前記第２の閾値より大きいと判定されたとき、該フォーカス和信号が前記情報記録面からの反射光によるフォーカス和信号であると判定する判定手段を有することを特徴とする請求項１または２記載の光ディスク装置。
【請求項４】
前記第１の増幅率が前記第２の増幅率より大きいことを特徴とする請求項１乃至３記載の光ディスク装置。
【請求項５】
光ディスクの情報記録面上にレーザ光を集光させるための対物レンズと前記光ディスクからの反射光を受光する分割された受光部を備えた光検出器とを有する光ピックアップと、
前記光検出器の出力信号からフォーカス誤差信号及びフォーカス和信号を生成する信号処理手段と、前記信号処理手段によって生成されたフォーカス誤差信号及びフォーカス和信号から前記対物レンズのフォーカス方向の位置を制御するためのフォーカス制御信号を生成するフォーカス制御手段と、前記信号処理手段によってフォーカス誤差信号及びフォーカス和信号が生成されるときの信号増幅率を設定する増幅率設定手段とを有する光ディスク装置における前記光ディスクの情報記録面に前記レーザ光の焦点を引き込むフォーカス制御方法において、
前記増幅率を第１の増幅率に設定するステップと、
前記対物レンズを前記光ディスクの前記対物レンズ側の表面に焦点を結ぶ位置より前記表面から離れた位置に移動するステップと、
前記対物レンズを漸次前記光ディスクの方向へ移動するステップと、
前記対物レンズが前記表面に焦点を合わせた位置における前記表面からの反射光によるフォーカス和信号と予め設定された第１の閾値とを比較し、該フォーカス和信号が前記第１の閾値より大きいと判定されたとき、該フォーカス和信号が前記表面からの反射光によるフォーカス和信号であると判定するステップと、
フォーカス和信号が前記表面からの反射光によるフォーカス和信号であると判定された後で前記増幅率を第１の増幅率に設定するステップと、
前記対物レンズを漸次前記光ディスクの方向へ移動して、前記対物レンズが前記情報記録面に焦点を合わせた位置における前記情報記録面からの反射光によるフォーカス和信号と予め設定された第２の閾値とを比較し、該フォーカス和信号が前記第２の閾値より大きいと判定されたとき、該フォーカス和信号が前記情報記録面からの反射光によるフォーカス和信号であると判定するステップと、
フォーカス和信号が前記情報記録面からの反射光によるフォーカス和信号であると判定された後で前記情報記録面に前記レーザ光の焦点を引き込むステップとを
有することを特徴とするフォーカス制御方法。
【発明の詳細な説明】
【技術分野】
【０００１】
本発明は、ＣＤ、ＤＶＤあるいはＨＤ ＤＶＤなどを扱う光ディスク装置及びフォーカス制御方法に関する。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスク ＨＤ ＤＶＤ(High Density Digital Versatile Disk)も市場に投入されるようになった。
【０００３】
上記した光ディスクの中には情報記録面におけるレーザ光の反射率の低いものがあり、光ディスクの外側の基板表面における反射率との差が小さい光ディスクがある。このような場合にはレーザ光の合焦点の位置が基板表面なのか情報記録面なのか判別し難く、誤って基板表面にフォーカス動作を行う虞があり、記録再生の障害になっている。このような問題に対応する方法として、以下のような技術が提案されている（例えば、特許文献１参照。）。
【０００４】
特許文献１には、フォーカス和信号のピークのタイミングとフォーカス誤差信号のゼロクロスのタイミングを比較しそれらのタイミングが実質的に一致したとき記録再生面と判定しフォーカス動作を行うようにしている。
【特許文献１】特開２００３−２７２１８３号公報
【発明の開示】
【発明が解決しようとする課題】
【０００５】
しかしながら、特許文献１において、基板表面と情報記録面におけるフォーカス差信号及びフォーカス差信号が共に小さい場合には、フォーカス和信号のピークのタイミングとフォーカス誤差信号のゼロクロスのタイミングを比較することが難しくなり、判定を誤る虞がある。
【０００６】
本発明は上記したような事情に鑑み成されたものであって、光ディスクの基板表面と情報記録面の区別を確実に行い、安定したフォーカス動作を行うことができる光ディスク装置及びフォーカス制御方法を提供することを目的とする。
【課題を解決するための手段】
【０００７】
上記目的を達成するために、本発明の光ディスク装置は、光ディスクの情報記録面上にレーザ光を集光させるための対物レンズと前記光ディスクからの反射光を受光する分割された受光部を備えた光検出器とを有する光ピックアップと、前記光検出器の出力信号からフォーカス誤差信号及びフォーカス和信号を生成する信号処理手段と、前記信号処理手段によって生成されたフォーカス誤差信号及びフォーカス和信号から前記対物レンズのフォーカス方向の位置を制御するためのフォーカス制御信号を生成するフォーカス制御手段と、前記光ディスクの情報記録面に前記レーザ光の焦点を引き込む工程において、前記信号処理手段によってフォーカス誤差信号及びフォーカス和信号が生成されるときの信号増幅率を設定し、前記対物レンズが前記光ディスクの前記対物レンズ側の表面に焦点を結ぶ位置より前記表面から離れた位置において第１の増幅率を設定し、前記対物レンズが漸次前記光ディスクの方向へ移動し、前記表面に焦点を合わせた位置において前記表面からの反射光によるフォーカス和信号を検出した後で第２の増幅率を設定する増幅率設定手段とを有することを特徴とする。
【０００８】
また、本発明のフォーカス制御方法は、光ディスクの情報記録面上にレーザ光を集光させるための対物レンズと前記光ディスクからの反射光を受光する分割された受光部を備えた光検出器とを有する光ピックアップと、前記光検出器の出力信号からフォーカス誤差信号及びフォーカス和信号を生成する信号処理手段と、前記信号処理手段によって生成されたフォーカス誤差信号及びフォーカス和信号から前記対物レンズのフォーカス方向の位置を制御するためのフォーカス制御信号を生成するフォーカス制御手段と、前記信号処理手段によってフォーカス誤差信号及びフォーカス和信号が生成されるときの信号増幅率を設定する増幅率設定手段とを有する光ディスク装置における前記光ディスクの情報記録面に前記レーザ光の焦点を引き込むフォーカス制御方法において、前記増幅率を第１の増幅率に設定するステップと、前記対物レンズを前記光ディスクの前記対物レンズ側の表面に焦点を結ぶ位置より前記表面から離れた位置に移動するステップと、前記対物レンズを漸次前記光ディスクの方向へ移動するステップと、前記対物レンズが前記表面に焦点を合わせた位置における前記表面からの反射光によるフォーカス和信号と予め設定された第１の閾値とを比較し、該フォーカス和信号が前記第１の閾値より大きいと判定されたとき、該フォーカス和信号が前記表面からの反射光によるフォーカス和信号であると判定するステップと、フォーカス和信号が前記表面からの反射光によるフォーカス和信号であると判定された後で前記増幅率を第１の増幅率に設定するステップと、前記対物レンズを漸次前記光ディスクの方向へ移動して、前記対物レンズが前記情報記録面に焦点を合わせた位置における前記情報記録面からの反射光によるフォーカス和信号と予め設定された第２の閾値とを比較し、該フォーカス和信号が前記第２の閾値より大きいと判定されたとき、該フォーカス和信号が前記情報記録面からの反射光によるフォーカス和信号であると判定するステップと、フォーカス和信号が前記情報記録面からの反射光によるフォーカス和信号であると判定された後で前記情報記録面に前記レーザ光の焦点を引き込むステップとを有することを特徴とする。
【発明の効果】
【０００９】
本発明によれば、光ディスクの基板表面と情報記録面の区別を確実に行うことで、光ディスク表面へのフォーカス誤動作を防ぎ、光ディスク認識動作時間の短縮、フォーカス動作の安定・時間短縮を実現し安定した記録再生動作を行うことが可能な光ディスク装置を提供することができる。
【発明を実施するための最良の形態】
【００１０】
以下本発明の実施例について図面を参照しながら説明する。
【００１１】
図１は、本発明に係る光ディスク装置１の内部の構成を表わすブロック図である。光ディスク装置１は、ＤＶＤ（Digital Versatile Disc）など情報記録媒体としての光ディスク２に対して情報の記録及び再生を行う。光ディスク２は、同心円状または螺旋状に溝が刻まれており、溝の凹部をランド、凸部をグルーブと呼び、グループまたはランドの一周をトラックと呼ぶ。ユーザデータは、このトラック（グルーブのみ、またはグルーブおよびランド）に沿って、強度変調されたレーザ光が照射されて記録マークが形成されることにより光ディスク２上に記録される。
【００１２】
データ再生は、記録時より弱いリードパワー(Read Power)のレーザ光をトラックに沿って照射して、トラック上にある記録マークによる反射光強度の変化を検出することにより行われる。記録されたデータの消去は、リードパワーより強いイレースパワー(Erase Power)のレーザ光をトラックに沿って照射し、記録層を結晶化することにより行われる。
【００１３】
光ディスク２はディスクモータ３によって回転駆動される。ディスクモータ３に付設された図示しないロータリエンコーダ３ａからディスクモータ駆動回路４に回転角信号が出力される。ディスクモータ３が１回転すると、回転角信号は例えば５パルス発生する。これにより、ディスクモータ制御回路５は、ディスクモータ駆動回路４を介してロータリエンコーダ３ａから入力された回転角信号に基づいて、ディスクモータ３の回転角度および回転数を判定することができる。このディスクモータ３はディスクモータ制御回路５により制御される。
【００１４】
光ディスク２に対する情報の記録または再生は、光ピックアップ５によって行われる。光ピックアップ５には、図示しないワイヤあるいは板バネによって支持された対物レンズ６が設けられる。対物レンズ６はフォーカスアクチュエータ７の駆動によりフォーカシング方向（レンズの光軸方向）への移動が可能であり、また、トラッキングアクチュエータ８の駆動によりトラッキング方向（レンズの光軸と直交する方向）への移動が可能である。
【００１５】
光ピックアップ５は、図示しないギアおよびスクリューシャフトを介してスレッドモータ９と連結されており、このスレッドモータ９はスレッドモータ駆動回路１０により駆動される。スレッドモータ９がスレッドモータ駆動回路１０から供給されたスレッドモータ駆動電流によって回転することで、光ピックアップ５が光ディスク２の半径方向に移動する。スレッドモータ駆動回路１０はスレッドモータ制御回路１１より送出される制御信号に従ってスレッドモータ駆動電流を出力する。
【００１６】
レーザダイオード１２は、レーザ駆動回路１３から供給される駆動電流に応じてレーザ光を発光する。レーザ駆動回路１３はレーザ制御回路１４より再生、記録または消去の動作に応じた制御信号の供給を受け、その制御信号に基づいてレーザダイオード１２に駆動電流を供給する。
【００１７】
変調回路１５は情報記録時にホスト装置３３からインターフェース回路３２を介して供給されるユーザデータを変調し、変調された記録データをレーザ制御回路１４へ提供する。変調方式は例えばＤＶＤ系の場合には８−１６変調であり、ＣＤ系の場合にはＥＦＭ変調である。レーザ制御回路１４は光ディスク２への情報記録時（マーク形成時）に、変調回路１５から供給される変調された記録データに基づいて、書き込み用の制御信号をレーザ駆動回路１３へ供給し、レーザ駆動回路１３は駆動電流を光ピックアップ５内の半導体レーザダイオード１２に供給する。
【００１８】
レーザダイオード１２から発光されるレーザ光は、光ピックアップ５内の光学部品１６および対物レンズ６を介して光ディスク２の情報記録面上に照射される。光ディスク２からの反射光は、対物レンズ６、光学部品１６を介して、光検出器１７に導かれる。
【００１９】
光検出器１７は、例えば４分割の光検知セルからなり、検出信号を生成し、生成された検出信号をＲＦアンプ１８に出力する。信号処理手段としての機能を有するＲＦアンプ１８は、光検出器１７からの検出信号を処理し、ジャストフォーカスからの誤差を示すフォーカス誤差信号（ＦＥ）、レーザ光のビームスポット中心とトラック中心との誤差を示すトラッキング誤差信号（ＴＥ）、および検出信号の全加算信号あるいは再生信号（ＲＦ）を生成し、生成されたフォーカス誤差信号（ＦＥ）、トラッキング誤差信号（ＴＥ）、および全加算信号あるいは再生信号（ＲＦ）をＡ／Ｄ・Ｄ／Ａ変換器１９に供給する。
【００２０】
フォーカシング制御回路２０は、ＲＦアンプ１８からＡ／Ｄ・Ｄ／Ａ変換器１９を介してＤＳＰ２９で取り込まれたフォーカス誤差信号（ＦＥ）に応じてフォーカス制御信号を生成し、生成されたフォーカス制御信号をフォーカスアクチュエータ駆動回路２１に供給する。フォーカスアクチュエータ駆動回路２１は、フォーカシング制御回路２０から供給されたフォーカス制御信号に基づいて、フォーカスアクチュエータ７を駆動するためのフォーカスアクチュエータ駆動電流をフォーカシング方向のフォーカスアクチュエータ７に供給する。これにより、レーザ光が光ディスク２の情報記録面上に常時ジャストフォーカスとなるフォーカスサーボが行われる。
【００２１】
トラックキング制御回路２２は、ＲＦアンプ１８からＡ／Ｄ・Ｄ／Ａ変換器１９にてＡ／Ｄ変換されＤＳＰ２９で取り込まれたトラッキング誤差信号（ＴＥ）に応じてトラック制御信号を生成し、生成されたトラック制御信号をトラッキングアクチュエータ駆動回路２３に供給する。トラッキングアクチュエータ駆動回路２３は、トラッキング制御回路２２から供給されたトラッキング制御信号に基づいて、トラッキングアクチュエータ８を駆動するためのトラッキングアクチュエータ駆動電流をトラッキング方向のトラッキングアクチュエータ８に供給する。これにより、レーザ光が光ディスク２上に形成されたトラック上を常にトレースするトラッキングサーボが行われる。
【００２２】
このようなフォーカスサーボおよびトラッキングサーボがなされることで、光検出器１７（各光検知セル）からの検出信号を加算した再生信号（ＲＦ）には、記録情報に対応して光ディスク２のトラック上に形成されたピットなどからの反射光の変化が反映される。この再生信号は、Ａ／Ｄ・Ｄ／Ａ変換器１９を介してＡ／Ｄ変換されデータ再生回路２４に供給される。データ再生回路２４は、Ａ／Ｄ・Ｄ／Ａ変換器１９から供給される再生信号に応じて１もしくは０の２値化信号を生成し、生成された２値化信号をエラー訂正回路２９に出力する。また、データ再生回路１９は、２値化信号をエラー訂正回路２９に出力すると同時に、ＰＬＬ（Phase Locked Loop）回路２５から供給される再生クロック信号と、この２値化信号との位相差をＰＬＬ位相比較信号として生成し、生成されたＰＬＬ位相比較信号をＰＬＬ回路２５に出力する。
【００２３】
ＤＳＰ（Digital Signal Processor）２９は、ＲＦアンプ１８から出力された後にＡ／Ｄ・Ｄ／Ａ変換器１９を介してＡ／Ｄ変換によりディジタル信号に変換されたフォーカス誤差信号（ＦＥ）およびトラッキング誤差信号（ＴＥ）などのディジタル信号に種々の演算処理を施し、ディスクモータ制御回路５、スレッドモータ制御回路１１、フォーカシング制御回路２０、およびトラッキング制御回路２２の制御を行う。
【００２４】
ディスクモータ制御回路５、スレッドモータ制御回路１１、レーザ制御回路１４、変調回路１５、Ａ／Ｄ・Ｄ／Ａ変換器１９、フォーカシング制御回路２０、トラッキング制御回路２２、ＰＬＬ回路２５、エラー訂正回路２９は、バス２７を介してＣＰＵ（Central Processing Unit）２８によって制御される。またＲＦアンプ１８は、Ａ／Ｄ・Ｄ／Ａ変換器１９を介してＤ／Ａ変換された信号によりＣＰＵ２８によって制御される。
【００２５】
ＣＰＵ２８は、インターフェース回路３２を介してホスト装置３３から供給される動作コマンドに従うとともに、ＲＯＭ（Read Only Memory）３１に記憶されているプログラムおよびＲＯＭ３１からＲＡＭ（Random Access Memory）３０にロードされたプログラムに従って各種の処理を実行し、種々の制御信号を生成し、各部に供給することにより光ディスク装置１を統括的に制御する。
【００２６】
図２は光ディスク２と対物レンズ６の位置関係とフォーカス誤差信号およびフォーカス和信号の関係を示す図である。光ディスク２の対物レンズ側の表面２ｂと対物レンズ６の位置関係を３段階（Ａ、Ｂ、Ｃ）に分けて説明する。
【００２７】
Ａは、対物レンズ６が光ディスクの対物レンズ側の表面２ｂにレーザ光の焦点を結ぶ位置より表面２ｂから離れた位置にある場合であり、レーザ光の焦点は表面２ｂに届いていない。光ディスクの情報記録面に前記レーザ光の焦点を合わせる工程においては、最初に対物レンズをそのような位置または更に表面２ｂから離れた位置に設定する。
【００２８】
Ｂは、対物レンズが漸次光ディスクの方向へ移動し、表面２ｂにレーザ光の焦点を結んだ位置である。表面２ｂに焦点を結ぶ前後でフォーカス誤差信号が検出される。また表面２ｂに焦点を結ぶとほぼ同時期に検出されるフォーカス和信号が最大となる。フォーカス和信号は光検出器１７の全加算信号または再生信号（ＲＦ）としてもよい。
【００２９】
Ｃは、対物レンズがさらに漸次光ディスクの方向へ移動し、情報記録面２ａにレーザ光の焦点を結んだ位置である。情報記録面２ａに焦点を結ぶ前後でフォーカス誤差信号が検出される。また情報記録面２ａに焦点を結ぶとほぼ同時期に検出されるフォーカス和信号が最大となる。
【００３０】
ＢとＣでは、表面２ｂの反射率が情報記録面２ａの反射率に比べて小さいため、フォーカス誤差信号およびフォーカス和信号の信号振幅が小さいことを示している。情報記録面２ａの反射率が小さくなると、表面２ｂの反射率に近づき、対物レンズが漸次移動する速度が速くなると、表面２ｂからの信号と情報記録面２ａからの信号の判別が難しくなる。
【００３１】
図３は本発明に係わる光ディスク２と対物レンズ６の位置関係とフォーカス誤差信号、フォーカス和信号及びＲＦアンプの増幅率の関係を示す図である。図２と異なる点は、前記信号処理手段によってフォーカス誤差信号及びフォーカス和信号が生成されるときの信号増幅率を対物レンズの位置によって可変とすることである。
【００３２】
Ａの位置にあるとき、ＲＦアンプ１８においてフォーカス誤差信号及びフォーカス和信号が生成されるときの信号増幅率を第１の増幅率に設定し、Ｂの位置において表面２ｂからの反射光によるフォーカス和信号を検出した後で第２の増幅率に設定する。第２の増幅率は情報記録面にフォーカスサーボを作動させてフォーカスオンさせるときの増幅率、つまり通常の増幅率である。第１の増幅率は第２の増幅率に比較して大きい増幅率である。第２の増幅率では、表面２ｂによるフォーカス誤差信号およびフォーカス和信号の検出信号は小さい値であって、検出を誤る可能性があるが、第１の増幅率に設定することにより、ＲＦアンプから出力される表面２ｂによるフォーカス誤差信号およびフォーカス和信号の検出信号が大きな信号となり確実に検出することができる。
【００３３】
このようにすることによって漸次対物レンズ６を光ディスク２に近づけていったときに、最初に検出されるべき表面２ｂからの反射光による信号が確実に検出できる。増幅率の設定はＣＰＵ２８が、Ａ／Ｄ・Ｄ／Ａ変換器１９を介してＤ／Ａ変換された信号によってＲＦアンプ１８内の図示しない増幅器の増幅率を設定することによって行われる。
【００３４】
第１の増幅率を保ったまま、情報記録面２ａの反射光によるフォーカス誤差信号およびフォーカス和信号を検出すると場合によっては発振したり、また情報記録面２ａに焦点を引き込むためのフォーカスサーボを作動させた場合にも発振してうまく動作しない虞があるため、増幅率を通常の増幅率に戻す工程が必要になる。そこで表面２ｂにおけるフォーカス和信号の大きさと予め設定された所定の第１の閾値とを比較し、フォーカス和信号が大きいと判定されたとき、このフォーカス和信号が表面２ｂからの反射光によるフォーカス和信号であると判定する。そして判定後に第２の増幅率へ変更することによって、情報記録面２ａにおいてフォーカスサーボを動作させる状態にすることが可能となる。
【００３５】
情報記録面２ａにおける反射光によるフォーカス誤差信号およびフォーカス和信号の検出においては、対物レンズ６が情報記録面２ａに焦点を合わせた位置における情報記録面２ａからの反射光によるフォーカス和信号と予め設定された所定の第２の閾値とを比較し、フォーカス和信号が前記第２の閾値より大きいと判定されたとき、このフォーカス和信号が情報記録面２ａからの反射光によるフォーカス和信号であると判定する。
【００３６】
情報記録面２ａの反射率はＣＤ系、ＤＶＤ系、ＨＤ ＤＶＤ系の違い、また再生専用型、記録可能型等の違いによって異なる。従って第２の閾値は、それらの情報記録面２ａに対応した閾値が設定される。光ディスク２が光ディスク装置１に装填された後イニシャル動作において光ディスク２の種類の判別が為される。ＣＰＵはその判別結果に基づいてＲＯＭ３１に記憶された種々の設定値から適当な設定値を選定し、ＲＡＭ３０に第２の閾値として設定する。
【００３７】
図４は、光ディスク２の情報記録面２ａにレーザ光の焦点を引き込む工程のフロー図である。Ｓ１において、ＣＰＵ２８はＲＦアンプ１８においてフォーカス誤差信号及びフォーカス和信号が生成されるときのＲＦアンプ１８の信号増幅率を第１の増幅率に設定する。
【００３８】
Ｓ２において、ＣＰＵ２８は、フォーカシング制御回路２０に信号を送出し、レーザ光の焦点が光ディスク２の表面２ｂに届かない位置まで対物レンズ６を表面２ｂから離れる方向に移動する。Ｓ３において、ＣＰＵ２８は、フォーカシング制御回路２０に信号を送出し、対物レンズ６を表面２ｂに近づく方向へ漸次移動する。
【００３９】
Ｓ４において、ＣＰＵ２８は表面２ｂからの反射光によるものであるかもしれないフォーカス和信号と予め設定された第１の閾値とを比較し、フォーカス和信号が第１の閾値より大きいと判定されたとき、Ｓ５へ進んで、該フォーカス和信号が表面２ｂからの反射光によるフォーカス和信号であると判定する。つまり表面２ｂを検出したと判定する。第１の閾値より小さいと判定されたときは、Ｓ３に戻って対物レンズ６を表面２ｂに近づく方向へ漸次移動する。
【００４０】
Ｓ６において、ＣＰＵ２８は、ＲＦアンプ１８の信号増幅率を第２の増幅率に設定する。Ｓ７において、ＣＰＵ２８は、フォーカシング制御回路２０に信号を送出し、対物レンズ６を表面２ｂに更に近づく方向へ漸次移動する。
【００４１】
Ｓ８において、ＣＰＵ２８は情報記録面２ａからの反射光によるものであるかもしれないフォーカス和信号と予め設定された第２の閾値とを比較し、フォーカス和信号が第２の閾値より大きいと判定されたとき、Ｓ９へ進んで、該フォーカス和信号が情報記録面２ａからの反射光によるフォーカス和信号であると判定する。つまり情報記録面２ａを検出したと判定する。第２の閾値より小さいと判定されたときは、Ｓ７に戻って対物レンズ６を表面２ｂに更に近づく方向へ漸次移動する。Ｓ１０において、ＣＰＵ２８は情報記録面２ａに対してフォーカス引き込み動作を開始する。
【００４２】
以上のように、表面２ｂによるフォーカス誤差信号およびフォーカス和信号を検出する際に、ＲＦアンプ１８の増幅率を通常の増幅率に比較して大きい増幅率である第１の増幅率に設定することにより、ＲＦアンプ１８から出力される表面２ｂからの反射光によるフォーカス誤差信号およびフォーカス和信号の検出信号が大きな信号となり確実に検出でき、表面２ｂであることを判定できる。表面２ｂを検出した後は、増幅率を通常の増幅率である第２の増幅率に設定することにより、情報記録面２ａを検出し、情報記録面２ａに対してレーザ光の焦点を引き込む動作を行うことができる。このようにして、光ディスク２の表面２ｂと情報記録面２ａの区別をおこなうことにより、安定したフォーカス制御が可能となる。
【図面の簡単な説明】
【００４３】
【図１】本発明に係る光ディスク装置の内部の構成を表わすブロック図。
【図２】光ディスクと対物レンズの位置関係とフォーカス誤差信号およびフォーカス和信号の関係を示す図。
【図３】本発明に係わる光ディスクと対物レンズの位置関係とフォーカス誤差信号、フォーカス和信号及びＲＦアンプの増幅率の関係を示す図。
【図４】光ディスクの情報記録面にレーザ光の焦点を引き込む工程のフロー図。
【符号の説明】
【００４４】
１  光ディスク装置
２  光ディスク
２ａ  情報記録面
２ｂ  表面
６  対物レンズ
７  フォーカスアクチュエータ
１２  レーザダイオード
１３  レーザ駆動回路
１４  レーザ制御回路
１７  光検出器
１８  ＲＦアンプ
１９  Ａ／Ｄ・Ｄ／Ａ変換器
２０  フォーカシング制御回路
２１  フォーカスアクチュエータ駆動回路
２８  ＣＰＵ
３０  ＲＡＭ
３１  ＲＯＭ
３２  インターフェース回路
３３  ホスト装置
【図１】
2008140442.tif 000003
【図２】
2008140442.tif 000004
【図３】
2008140442.tif 000005
【図４】
2008140442.tif 000006